(57)【特許請求の範囲】
【請求項１】
操作子が配置される第１外面及び前記第１外面とは異なる第２外面を含む筐体と、
自機の状態に基づいて所定光を発する光源と
を備え、
前記第１外面には、前記所定光の一部である第１光が前記筐体の外部に向けて出射される第１出射部が配置されており、
前記第２外面には、前記所定光の他の一部である第２光が前記筐体の外部に向けて出射される第２出射部が配置されており、
前記第１外面において前記筐体の外部に露出する第１露出部と、前記第２外面において前記筐体の外部に露出する第２露出部と、前記所定光が内部を伝搬すると共に前記第１露出部及び前記第２露出部の双方につながる伝搬部とを含む光学部材を更に備えており、
前記第１露出部の少なくとも一部が、前記第１出射部を構成しており、
前記第２露出部の少なくとも一部が、前記第２出射部を構成しており、
前記光学部材は、前記伝搬部の内部で前記所定光が散乱されない場合には前記第１光が前記第１露出部に到達することができない第１位置に前記第１露出部を備えており、
前記光学部材は、前記伝搬部の内部で前記所定光が散乱されなくても前記第２光が前記第２露出部に到達することができる第２位置に前記第２露出部を備えており、
前記第２出射部から出射される前記第２光は、前記第１出射部から出射される前記第１光よりも明るく、
前記第１出射部から出射される前記第１光は、前記操作子の照明よりも暗い
ことを特徴とする電話機。
【請求項２】
前記所定光を前記第１光及び前記第２光に分離する光学部材を更に備える
ことを特徴とする請求項１に記載の電話機。
【請求項３】
前記第２出射部からは、前記第２光が前記第２出射部から前記筐体の外部に向かって拡散するように前記第２光が出射される
ことを特徴とする請求項１から２のいずれか一項に記載の電話機。
【請求項４】
前記第２出射部は、前記第２光が出射される出射面であって且つ前記筐体の外部に向かって凸状に突き出る又は凹状に窪む曲面を含む出射面を含む
ことを特徴とする請求項１から３のいずれか一項に記載の電話機。
【請求項５】
当該電話機は、所定の設置面上に設置され、
前記第２出射部からは、前記第２光が前記第２出射部から前記設置面に向かって出射されるように前記第２光が出射される
ことを特徴とする請求項１から４のいずれか一項に記載の電話機。
【請求項６】
前記筐体は、当該電話機が所定の設置面上に設置される場合に前記設置面に対向する第３面を更に含んでおり、
前記第２出射部は、前記第２光が出射される出射面であって且つ前記第３面を包含する仮想平面に向き合う出射面を備える
ことを特徴とする請求項１から５のいずれか一項に記載の電話機。
【請求項７】
操作子が配置される第１外面及び前記第１外面とは異なる第２外面を含む筐体と、
自機器の状態に基づいて所定光を発する光源と
を備え、
前記第１外面には、前記所定光の一部である第１光が前記筐体の外部に向けて出射される第１出射部が配置されており、
前記第２外面には、前記所定光の他の一部である第２光が前記筐体の外部に向けて出射される第２出射部が配置されており、
前記第１外面において前記筐体の外部に露出する第１露出部と、前記第２外面において前記筐体の外部に露出する第２露出部と、前記所定光が内部を伝搬すると共に前記第１露出部及び前記第２露出部の双方につながる伝搬部とを含む光学部材を更に備えており、
前記第１露出部の少なくとも一部が、前記第１出射部を構成しており、
前記第２露出部の少なくとも一部が、前記第２出射部を構成しており、
前記光学部材は、前記伝搬部の内部で前記所定光が散乱されない場合には前記第１光が前記第１露出部に到達することができない第１位置に前記第１露出部を備えており、
前記光学部材は、前記伝搬部の内部で前記所定光が散乱されなくても前記第２光が前記第２露出部に到達することができる第２位置に前記第２露出部を備えており、
前記第２出射部から出射される前記第２光は、前記第１出射部から出射される前記第１光よりも明るく、
前記第１出射部から出射される前記第１光は、前記操作子の照明よりも暗い
ことを特徴とする操作子付属機器。
【発明の詳細な説明】
【技術分野】
【０００１】
本発明は、電話機や、ユーザによって操作可能な操作子を備える任意の機器である操作子付属機器の技術分野に関する。
【背景技術】
【０００２】
ユーザに対して電話機の状態を光で通知する電話機が知られている。例えば、特許文献１には、電話機が収容している回線の状態を表示するランプや、保留中の通話チャンネルの有無を表示する第２のランプを備え、ランプの点灯及び消灯によって電話機の状態をユーザに通知する電話機が開示されている。
【先行技術文献】
【特許文献】
【０００３】
【特許文献１】特開２００４−９６３００号公報
【発明の概要】
【発明が解決しようとする課題】
【０００４】
特許文献１に記載された電話機では、上述した各種ランプは、テンキー等の操作ボタンが配置されている電話機の主表面に配置されている。このため、各種ランプの発光状態によっては、操作ボタンの視認性が悪化する可能性がある。例えば、各種ランプの視認性を向上させるために各種ランプを明るく発光させると、各種ランプの発光に起因した光の操作ボタン上での乱反射等によって、操作ボタンの視認性が悪化する可能性がある。
【０００５】
尚、上述した課題は、電話機のみならず、ユーザによって操作可能な操作子を備える任意の機器である操作子付属機器においても生じえる。
【０００６】
本発明が解決しようとする課題には上記のようなものが一例として挙げられる。本発明は、操作ボタン等の操作子の視認性の悪化を抑制しつつ、電話機の状態を光で通知することが可能な電話機、及び、操作ボタン等の操作子の視認性の悪化を抑制しつつ、操作子付属機器の状態を光で通知することが可能な操作子付属機器を提供することを課題とする。
【課題を解決するための手段】
【０００７】
上記課題を解決するために、本発明の電話機は、操作子が配置される第１外面及び前記第１外面とは異なる第２外面を含む筐体と 自機の状態に基づいて所定光を発する光源とを備え、前記第１外面には、前記所定光の一部である第１光が前記筐体の外部に向けて出射される第１出射部が配置されており、 前記第２外面には、前記所定光の他の一部である第２光が前記筐体の外部に向けて出射される第２出射部が配置されており、前記第１外面において前記筐体の外部に露出する第１露出部と、前記第２外面において前記筐体の外部に露出する第２露出部と、前記所定光が内部を伝搬すると共に前記第１露出部及び前記第２露出部の双方につながる伝搬部とを含む光学部材を更に備えており、 前記第１露出部の少なくとも一部が、前記第１出射部を構成しており、前記第２露出部の少なくとも一部が、前記第２出射部を構成しており、前記光学部材は、前記伝搬部の内部で前記所定光が散乱されない場合には前記第１光が前記第１露出部に到達することができない第１位置に前記第１露出部を備えており、前記光学部材は、前記伝搬部の内部で前記所定光が散乱されなくても前記第２光が前記第２露出部に到達することができる第２位置に前記第２露出部を備えており、前記第２出射部から出射される前記第２光は、前記第１出射部から出射される前記第１光よりも明るく、前記第１出射部から出射される前記第１光は、前記操作子の照明よりも暗い。
【０００８】
上記課題を解決するために、本発明の操作子付属機器は、操作子が配置される第１外面及び前記第１外面とは異なる第２外面を含む筐体と、自機器の状態に基づいて所定光を発する光源とを備え、前記第１外面には、前記所定光の一部である第１光が前記筐体の外部に向けて出射される第１出射部が配置されており、前記第２外面には、前記所定光の他の一部である第２光が前記筐体の外部に向けて出射される第２出射部が配置されており、前記第１外面において前記筐体の外部に露出する第１露出部と、前記第２外面において前記筐体の外部に露出する第２露出部と、前記所定光が内部を伝搬すると共に前記第１露出部及び前記第２露出部の双方につながる伝搬部とを含む光学部材を更に備えており、前記第１露出部の少なくとも一部が、前記第１出射部を構成しており、前記第２露出部の少なくとも一部が、前記第２出射部を構成しており、前記光学部材は、前記伝搬部の内部で前記所定光が散乱されない場合には前記第１光が前記第１露出部に到達することができない第１位置に前記第１露出部を備えており、前記光学部材は、前記伝搬部の内部で前記所定光が散乱されなくても前記第２光が前記第２露出部に到達することができる第２位置に前記第２露出部を備えており、前記第２出射部から出射される前記第２光は、前記第１出射部から出射される前記第１光よりも明るく、前記第１出射部から出射される前記第１光は、前記操作子の照明よりも暗い。
【図面の簡単な説明】
【０００９】
【図１】電話機の外観を示す上面図及び側面図である。
【図２】光学部材の構成を、筐体内に収容されるホルダ及び回路基板と共に示す断面図（図１のＩ−Ｉ’断面図）である。
【図３】光学部材の内部における光の伝搬態様を示す断面図（図２と同様に、図１のＩ−Ｉ’断面図）である。
【図４】第１及び第２発光部が発光している場合の電話機の外観を示す上面図及び側面図である。
【発明を実施するための形態】
【００１０】
以下、電話装置及び操作子付属機器の実施形態について順に説明する。
【００１１】
＜１＞
本実施形態の電話機は、操作子が配置される第１外面及び前記第１外面とは異なる第２外面を含む筐体と、当該電話機の状態に基づいて所定光を発する光源とを備え、前記第１外面には、前記所定光の一部である第１光が前記筐体の外部に向けて出射される第１出射部が配置されており、前記第２外面には、前記所定光の他の一部である第２光が前記筐体の外部に向けて出射される第２出射部が配置されている。
【００１２】
本実施形態の電話機は、筐体と光源とを備えている。
【００１３】
筐体は、夫々が当該筐体の外観の少なくとも一部を構成する第１外面及び第２外面を備えている。第１外面は、ユーザが操作可能な操作子（例えば、ダイヤルボタン等の操作ボタンや、タッチパネルや、その他任意の操作子）が配置されている面である。一方で、第２外面は、第１外面とは異なる面である。第２外面は、操作子が配置されていない面である。
【００１４】
光源は、電話機の状態に基づいて所定光を発する。例えば、光源は、電話機の状態を識別可能な発光態様で所定光を発する。具体的には、例えば、光源は、電話機の状態が第１の状態である場合には、第１の発光態様で所定光を発してもよい。一方で、例えば、光源は、電話機の状態が第１の状態とは異なる第２の状態である場合には、第１の発光態様とは異なる第２の発光態様で所定光を発してもよい。
【００１５】
尚、光源は、典型的には、筐体の内部に収容されている。従って、光源が発した所定光がそのまま直接的にユーザに視認されることはない。
【００１６】
本実施形態では特に、第１出射部が第１外面に配置されていると共に、第２出射部が第２外面に配置されている。
【００１７】
第１光は、第１出射部を介して筐体の外部に向けて出射される。つまり、第１光は、第１出射部から筐体の外部に向けて出射される。言い換えれば、第１光は、第１出射部を介して筐体の外部に向けて伝搬する。つまり、第１光は、第１出射部から筐体の外部に向けて伝搬する。更に言い換えれば、第１出射部は、光源が発した所定光のうちの一部である第１光を筐体の外部に向けて出射する。更に言い換えれば、第１出射部は、第１光が第１出射部から出射されることで、第１光の発光態様（つまり、所定光の発光態様）と同一の発光態様で実質的には発光していると言える。更に言い換えれば、第１出射部は、第１光の照射を受けることで、第１光の発光態様（つまり、所定光の発光態様）と同一の発光態様で実質的には発光する第１発光部であると言える。その結果、ユーザは、第１出射部から出射される第１光（言い換えれば、第１出射部の発光態様）を視認することで、電話機の状態を確認することができる。
【００１８】
第２光は、第２出射部を介して筐体の外部に向けて出射される。つまり、第２光は、第２出射部から筐体の外部に向けて出射される。言い換えれば、第２光は、第２出射部を介して筐体の外部に向けて伝搬する。つまり、第２光は、第２出射部から筐体の外部に向けて伝搬する。言い換えれば、第２出射部は、光源が発した所定光のうちの一部である第２光を筐体の外部に向けて出射する。更に言い換えれば、第２出射部は、第２光が第２出射部から出射されることで、第２光の発光態様（つまり、所定光の発光態様）と同一の発光態様で実質的には発光していると言える。更に言い換えれば、第２出射部は、第２光の照射を受けることで、第２光の発光態様（つまり、所定光の発光態様）と同一の発光態様で実質的には発光する第２発光部であると言える。その結果、ユーザは、第２出射部から出射される第２光（言い換えれば、第２出射部の発光態様）を視認することで、電話機の状態を確認することができる。
【００１９】
このように、本実施形態では、電話機の状態に基づいて光が出射される（言い換えれば、発光する）出射部が、操作子が配置される第１外面に加えて、第２外面にも配置されている。従って、電話機は、第１出射部から出射される第１光のみならず、第２出射部から出射される第２光を用いて、電話機の状態をユーザに通知することができる。
【００２０】
ここで、本実施形態の電話機の技術的効果を説明するための前提として、電話機の状態に基づいて光が出射される出射部が、操作子が配置される第１外面のみに配置されている比較例の電話機について説明する。比較例の電話機では、第１出射部から出射される第１光（つまり、第１出射部の発光態様）の視認性を向上させるためには、第１出射部から相応な明るさの第１光が出射されることが好ましい。一方で、第１出射部から相応な明るさの第１光が出射されると、操作子上での第１光の乱反射等によって、操作子の視認性が悪化する可能性がある。一方で、操作子の視認性を悪化させないためには、第１出射部から過度に明るい第１光が出射されないことが好ましい。一方で、過度に明るい第１光が出射されないことに固執しすぎて第１出射部から出射される第１光が過度に暗くなってしまうと、第１出射部から出射される第１光の視認性（つまり、第１出射部の発光態様の視認性）が悪化する可能性がある。その結果、ユーザは、電話機の状態を認識しにくくなる可能性がある。従って、比較例の電話機は、操作子の視認性の悪化を抑制しつつ、電話機の状態をユーザに好適に認識させることが困難である。言い換えれば、比較例の電話機は、操作子の視認性の悪化を抑制しつつ、電話機の状態を光で通知することが困難である。
【００２１】
しかるに、本実施形態の電話機では、電話機の状態に基づいて光が出射される出射部が、操作子が配置される第１外面のみならず、第２外面にも配置されている。従って、操作子の視認性の悪化を抑制することを優先するように第１出射部から第１光が出射されている場合であっても、第２出射部からも電話機の状態に基づく第２光が出射されている。従って、操作子の視認性の悪化を抑制する目的で第１光の視認性が悪化する程度の明るさの第１光が第１出射部から出射されている場合であっても、第２出射部からは、第１出射部からの第１光の出射とは独立して、第２光の視認性が悪化しない程度の明るさの第２光が出射されることが可能となる。従って、操作子の視認性の悪化を抑制する目的で第１光の視認性が悪化する程度の明るさで第１出射部から第１光が出射されている場合であっても、ユーザは、第２光の視認性が悪化しない程度の明るさで第２出射部から出射されている第２光を視認することで、電話機の状態を好適に認識することができる。それでいてなおかつ、第２出射部が第１外面ではなく第２外面に配置されているがゆえに、第２出射部から出射される第２光が操作子の視認性の悪化を引き起こすことは殆ど又は全くない。このため、本実施形態の電話機は、操作子の視認性の悪化を抑制しつつ、電話機の状態をユーザに好適に認識させることができる。言い換えれば、本実施形態の電話機は、操作子の視認性の悪化を抑制しつつ、電話機の状態を光で通知することができる。
【００２２】
更には、第１出射部から出射される第１光及び第２出射部から出射される第２光は、共に同一の所定光の一部である。このため、第１出射部の発光態様は、第２出射部の発光態様と同一になる。従って、電話機の状態に基づく光が出射される出射部が複数配置されている場合であっても、複数の出射部から異なる光が出射される（つまり、複数の出射部が異なる発光態様で発光する）ことは殆ど又は全くない。このため、電話機の状態に基づく光が出射される出射部が複数配置されている場合であっても、ユーザは、複数の出射部のうちの少なくとも一つから出射される光（つまり、複数の出射部のうちの少なくとも一つの発光態様）を視認することで、電話機の状態を好適に認識することができる。
【００２３】
＜２＞
本実施形態の電話機の他の態様では、前記所定光を前記第１光及び前記第２光に分離する光学部材を更に備える。
【００２４】
この態様によれば、光学部材によって所定光が第１光及び第２光に分離される。この場合、第１出射部からは、光学部材が分離した第１光が筐体の外部に向けて出射される。また、第２出射部からは、光学部材が分離した第２光が筐体の外部に向けて出射される。従って、第１出射部の発光態様は、第２出射部の発光態様と同一になる。ユーザは、複数の出射部のうちの少なくとも一つから出射される光（つまり、複数の出射部のうちの少なくとも一つの発光態様）を視認することで、電話機の状態を好適に認識することができる。
【００２５】
＜３＞
本実施形態の電話機の他の態様では、前記第１外面において前記筐体の外部に露出する第１露出部と、前記第２外面において前記筐体の外部に露出する第２露出部と、前記所定光が内部を伝搬すると共に前記第１露出部及び前記第２露出部の双方につながる伝搬部とを含む光学部材を更に備えており、前記第１露出部の少なくとも一部が、前記第１出射部を構成しており、前記第２露出部の少なくとも一部が、前記第２出射部を構成している。
【００２６】
この態様によれば、光源が発した所定光は、光学部材が備える伝搬部の内部を伝搬する。
【００２７】
伝搬部の内部を伝搬している所定光の一部は、第１光として、伝搬部につながっている（典型的には、光学的につながっている）第１露出部に到達する。第１露出部は、第１外面において筐体の外部に露出している。このため、第１露出部に到達した第１光は、第１露出部から筐体の外部に向かって出射される。従って、第１露出部の少なくとも一部は、第１出射部として機能する。
【００２８】
伝搬部の内部を伝搬している所定光の他の一部は、第２光として、伝搬部につながっている（典型的には、光学的につながっている）第２露出部に到達する。第２露出部は、第２外面において筐体の外部に露出している。このため、第２露出部に到達した第２光は、第２露出部から筐体の外部に向かって出射される。従って、第２露出部の少なくとも一部は、第２出射部として機能する。
【００２９】
このように、所定光が伝搬部の内部を伝搬することで、所定光の一部である第１光が第１露出部から出射され且つ所定光の他の一部である第２光が第２露出部から出射される。このため、第１出射部（言い換えれば、第１露出部）の発光態様は、第２出射部（言い換えれば、第１露出部）の発光態様と同一になる。ユーザは、複数の出射部のうちの少なくとも一つから出射される光（つまり、複数の出射部のうちの少なくとも一つの発光態様）を視認することで、電話機の状態を好適に認識することができる。
【００３０】
＜４＞
上述の如く第１及び第２露出部を含む光学部材を備える電話機の他の態様では、前記光学部材は、前記伝搬部の内部で前記所定光が散乱されない場合には前記第１光が前記第１露出部に到達することができない第１位置に前記第１露出部を備えており、前記光学部材は、前記伝搬部の内部で前記所定光が散乱されなくても前記第２光が前記第２露出部に到達することができる第２位置に前記第２露出部を備えている。
【００３１】
この態様によれば、第１露出部は、伝搬部の内部で所定光が散乱されない場合には第１光が第１露出部に到達することができない第１位置に位置している。つまり、第１露出部は、実質的には、伝搬部の内部で所定光が散乱されることで初めて第１光が第１露出部に到達することができる第１位置に位置している。従って、第１露出部から筐体の外部に向かって出射される第１光は、伝搬部の内部で散乱された所定光の一部に相当する。言い換えれば、第１露出部から筐体の外部に向かって出射される第１光は、伝搬部の内部で散乱された所定光の一部に相当する。
【００３２】
一方で、第２露出部は、伝搬部の内部で所定光が散乱されない場であっても第２光が第２露出部に到達することができる第２位置に位置している。つまり、第２露出部は、伝搬部の内部で所定光が散乱しないと仮定した場合の所定光の理想的な光路の終点に相当する第２位置に位置している。従って、第２露出部から筐体の外部に向かって出射される第２光は、伝搬部の内部で散乱された所定光の他の一部のみならず、伝搬部の内部で散乱されていない所定光の他の一部（つまり、伝搬部の内部で散乱された所定光と比較して相対的に明るい光）を含んでいる。
【００３３】
その結果、第２出射部から出射される第２光は、第１出射部から出射される第１光よりも明るくなる。従って、操作子の視認性の悪化を抑制する目的で第１光の視認性が悪化する程度の明るさの第１光が第１出射部から出射されつつ、第２出射部からは、第１出射部による第１光の出射とは独立して、第２光の視認性が悪化しない程度の明るさの第２光が出射されることが可能となる。このため、この態様の電話機は、操作子の視認性の悪化を抑制しつつ、電話機の状態をユーザに好適に認識させることができる。言い換えれば、本実施形態の電話機は、操作子の視認性の悪化を抑制しつつ、電話機の状態を光で通知することができる。
【００３４】
尚、「第２光が第１光よりも明るい」状態とは、第２光の明るさを示すパラメータが第１光の明るさを示すパラメータよりも大きい状態を意味していてもよい。言い換えれば、「第２光が第１光よりも明るい」状態とは、第２出射部の発光の明るさを示すパラメータが第１出射部の発光の明るさを示すパラメータよりも大きい状態を意味していてもよい。明るさを示すパラメータの一例として、光度エネルギーや、光束や、光度や、輝度や、照度や、光束発散度等があげられる。
【００３５】
また、ここで言う「所定光の散乱」とは、伝搬部の内部を伝搬する所定光の伝搬方向が四方八方に分散する又は伝搬部の内部を伝搬する所定光が四方八方に向かって分岐する状態を意味していてもよい。つまり、「所定光の散乱」とは、所定光が散乱しないと仮定した場合の所定光の理想的な光路からずれるように所定光の伝搬方向が変化する状態を意味していてもよい。
【００３６】
＜５＞
本実施形態の電話機の他の態様では、前記第２出射部から出射される前記第２光は、前記第１出射部から出射される前記第１光よりも明るい。
【００３７】
この態様によれば、操作子の視認性の悪化を抑制する目的で第１光の視認性が悪化する程度の明るさの第１光が第１出射部から出射されつつ、第２出射部からは、第１出射部による第１光の出射とは独立して、第２光の視認性が悪化しない程度の明るさの第２光が出射されることが可能となる。このため、この態様の電話機は、操作子の視認性の悪化を抑制しつつ、電話機の状態をユーザに好適に認識させることができる。言い換えれば、本実施形態の電話機は、操作子の視認性の悪化を抑制しつつ、電話機の状態を光で通知することができる。
【００３８】
尚、「第２光が第１光よりも明るい」状態とは、第２光の明るさを示すパラメータが第１光の明るさを示すパラメータよりも大きい状態を意味していてもよい。言い換えれば、「第２光が第１光よりも明るい」状態とは、第２出射部の発光の明るさを示すパラメータが第１出射部の発光の明るさを示すパラメータよりも大きい状態を意味していてもよい。明るさを示すパラメータの一例として、光度エネルギーや、光束や、光度や、輝度や、照度や、光束発散度等があげられる。
【００３９】
＜６＞
本実施形態の電話機の他の態様では、前記第１出射部から出射される前記第１光は、前記操作子の照明よりも暗い。
【００４０】
この態様によれば、第１出射部からは、操作子の視認性を悪化させない程度の明るさの第１光が出射される。
【００４１】
尚、「第１光が照明よりも暗い」状態とは、第１光の明るさを示すパラメータが照明の明るさを示すパラメータよりも小さい状態を意味していてもよい。言い換えれば、「第１光が照明よりも暗い」状態とは、第１出射部の発光の明るさを示すパラメータが操作子の発光の明るさを示すパラメータよりも大きい状態を意味していてもよい。明るさを示すパラメータの一例として、光度エネルギーや、光束や、光度や、輝度や、照度や、光束発散度等があげられる。
【００４２】
＜７＞
本実施形態の電話機の他の態様では、前記第２出射部からは、前記第２光が前記第２出射部から前記筐体の外部に向かって拡散するように前記第２光が出射される。
【００４３】
この態様によれば、第２出射部からは、筐体の外部に向かって拡散しないように第２光が出射される場合と比較して、第２光がより広範囲に伝搬するように第２光が出射される。その結果、第２出射部から出射される第２光の視認性が向上する。つまり、ユーザは、第２出射部から出射される第２光を視認しやすくなり、結果、電話機の状態を認識しやすくなる。
【００４４】
尚、ここで言う「第２光の拡散」とは、第２光がいわば放射状に伝搬する状態を意味していてもよい。言い換えれば、「第２光の拡散」とは、第２光が拡散しないと仮定した場合の第２光の仮想的な光路に加えて又は代えて、当該仮想的な光路からずれる又は交わる光路を第２光が伝搬する状態を意味していてもよい。
【００４５】
＜８＞
本実施形態の電話機の他の態様では、前記第２出射部は、前記第２光が出射される出射面であって且つ前記筐体の外部に向かって凸状に突き出る又は凹状に窪む曲面を含む出射面を含む。
【００４６】
この態様によれば、第２光が出射される出射面が曲面（特に、凸状に突き出ている又は凹状に窪んでいる曲面）を含むがゆえに、当該出射面から出射される第２光は、筐体の外部に向かって拡散するように第２出射部から出射される。このため、第２出射部からは、筐体の外部に向かって拡散しないように第２光が出射される場合と比較して、第２光がより広範囲に伝搬するように第２光が出射される。その結果、第２出射部から出射される第２光の視認性が向上する。つまり、ユーザは、第２出射部から出射される第２光を視認しやすくなり、結果、電話機の状態を認識しやすくなる。
【００４７】
＜９＞
本実施形態の電話機の他の態様では、当該電話機は、所定の設置面上に設置され、前記第２出射部からは、前記第２光が前記第２出射部から前記設置面に向かって出射されるように前記第２光が出射される。
【００４８】
この態様によれば、第２出射部から出射された第２光は、設置面に向かって伝搬する。この場合、第２出射部から出射された第２光の少なくとも一部は、設置面において反射する。その結果、第２光の伝搬方向が変化するがゆえに、第２光は、より広範囲に伝搬することができる。その結果、第２出射部から出射される第２光の視認性が向上する。つまり、ユーザは、第２出射部から出射される第２光を視認しやすくなり、結果、電話機の状態を認識しやすくなる。
【００４９】
＜１０＞
本実施形態の電話機の他の態様では、前記筐体は、当該電話機が所定の設置面上に設置される場合に前記設置面に対向する第３面を更に含んでおり、前記第２出射部は、前記第２光が出射される出射面であって且つ前記第３面を包含する仮想平面に向き合う出射面を備える。
【００５０】
この態様によれば、第２出射部から出射された第２光は、設置面に対向する第３面を包含する仮想平面に向かって伝搬する。そうすると、電話機が設置面に設置された場合には、第２出射部から出射された第２光の少なくとも一部は、設置面において反射する可能性が高い。その結果、第２光の伝搬方向が変化するがゆえに、第２光は、より広範囲に伝搬することができる。その結果、第２出射部から出射される第２光の視認性が向上する。つまり、ユーザは、第２出射部から出射される第２光を視認しやすくなり、結果、電話機の状態を認識しやすくなる。
【００５１】
＜１１＞
本実施形態の操作子付属機器は、操作子が配置される第１外面及び前記第１外面とは異なる第２外面を含む筐体と、当該操作子付属機器の状態に基づいて所定光を発する光源とを備え、前記第１外面には、前記所定光の一部である第１光が前記筐体の外部に向けて出射される第１出射部が配置されており、前記第２外面には、前記所定光の他の一部である第２光が前記筐体の外部に向けて出射される第２出射部が配置されている。
【００５２】
本実施形態の操作子付属機器によれば、上述した本実施形態の電話機が享受することができる各種効果と同様の効果を享受することができる。
【００５３】
尚、上述した本実施形態の電話機が採用し得る各種態様に対応して、本実施形態の操作子付属機器もまた各種態様を採用することができる。
【００５４】
本実施形態のこのような作用及び他の利得は次に説明する実施例から更に明らかにされる。
【００５５】
以上説明したように、本実施形態の電話機は、第１外面及び第２外面を含む筐体と光源とを備え、第１外面に第１出射部が配置されており且つ第２外面に第２出射部が配置されている。本実施形態の操作子付属機器は、第１外面及び第２外面を含む筐体と光源とを備え、第１外面に第１出射部が配置されており且つ第２外面に第２出射部が配置されている。従って、操作子の視認性の悪化を抑制しつつ、電話機又は操作子付属機器の状態を光で通知することができる。
【実施例】
【００５６】
以下、図面を参照しながら、本発明の電話機及び操作子付属機器の実施例について説明する。尚、以下では、説明の便宜上、電話機の実施例について説明する。しかしながら、電話機以外の任意の機器（つまり、後述する操作ボタン１２２を備える機器）についても、後述する電話機１が採用する各種構成が適用されてもよい。尚、電話機以外の任意の機器（つまり、後述する操作ボタン１２２等を備える機器）の一例として、例えば、テレビや、ハードディスクレコーダや、ゲーム機や、パソコンや、金庫や、冷蔵庫や、炊飯器が例示される。
【００５７】
（１）電話機１の構成
はじめに、図１（ａ）から図１（ｃ）を参照しながら、本実施例の電話機１の構成について説明する。図１（ａ）は、電話機１の外観を示す上面図である。図１（ｂ）は、電話機１の外観を示す側面図である。図１（ｃ）は、電話機１の外観を示す側面図である。尚、図１（ａ）から図１（ｃ）では、説明の便宜上、互いに直交するＸ軸、Ｙ軸及びＺ軸から定義される３次元座標空間を用いて、電話機１の構成についての説明を進める。
【００５８】
図１（ａ）から図１（ｃ）に示すように、電話機１は、受話器１１と、筐体１２とを備える。
【００５９】
受話器１１は、通話を行うためにユーザが保持する機器である。受話器１は、例えば、ユーザの話し相手の声をユーザに伝えるためのスピーカや、ユーザの声を検出するためのマイク等を備えている。ユーザが受話器１１を保持していない場合には、受話器１１は、筐体１２に形成された（典型的には、筐体１２の上面１２ａに形成された）受話器受けに置かれている。
【００６０】
筐体１２は、電話機１の本体を構成する部材である。筐体１２は、例えば、ＡＢＳ（Ａｃｒｙｌｏｎｉｔｒｉｌｅ  Ｂｕｔａｄｉｅｎｅ  Ｓｔｙｒｅｎｅ）樹脂（或いは、その他任意の樹脂又は任意の材料）から構成される部材である。図１に示す例では、筐体１２は、箱状の（言い換えれば、直方体の形状の）部材である。但し、筐体１２の形状は、どのような形状であってもよい。
【００６１】
筐体１２は、「第１外面」の一具体例である上面１２ａと、「第２外面」の一具体例である側面１２ｂと、「第３外面」の一具体例である底面１２ｃとを備える。
【００６２】
上面１２ａは、筐体１２の外観を構成する一つの外面である。上面１２ａは、＋Ｚ方向を向いている面である。上面１２ａは、電話機１が設置面２０に設置された場合に、設置面２０とは反対側を向いている面である。
【００６３】
側面１２ｂは、筐体１２の外観を構成する一つの外面である。側面１２ｂは、−Ｘ方向を向いている面である。側面１２ｂは、上面１２ａと交わる方向に向かって延びる面である。側面１２ｂは、上面１２ａの−Ｘ方向の端部から−Ｚ方向に向かって延びる面である。側面１２ｂは、電話機１が設置面２０に設置された場合に、設置面２０に交わる方向に向かって延びる面である。
【００６４】
底面１２ｃは、筐体１２の外観を構成する一つの外面である。底面１２ｃは、−Ｚ方向を向いている面である。底面１２ｃは、側面１２ｂと交わる方向に向かって延びる面である。底面１２ｃは、側面１２ｂの−Ｚ方向の端部から＋Ｘ方向に向かって延びる面である。底面１２ｃは、電話機１が設置面２０に設置された場合に、設置面２０に対向する面である。
【００６５】
上面１２ａには、ディスプレイ１２１と、「操作子」の一具体例である操作ボタン１２２とが配置されている。但し、上面１２ａには、ディスプレイ１２１及び操作ボタン１２２の少なくとも一方が配置されていなくてもよい。
【００６６】
ディスプレイ１２１は、各種情報を表示するための表示装置である。ディスプレイ１２１は、例えば、電話機１の動作状態を示す情報を表示してもよい。ディスプレイ１２１は、電話機１の動作に関連する情報を表示してもよい。但し、ディスプレイ１２１は、任意の情報を表示してもよい。ディスプレイ１２１は、例えば液晶ディスプレイである。但し、ディスプレイ１２１は、任意のディスプレイであってもよい。
【００６７】
操作ボタン１２２は、ユーザが操作可能なボタンである。操作ボタン１２２は、電話番号を指定するためのダイヤルボタン（言い換えれば、数字ボタン）を含んでいてもよい。操作ボタン１２２は、留守番電話に関連する操作を行うためのボタンを含んでいてもよい。但し、操作ボタン１２２は、任意の操作を行うためのボタンを含んでいてもよい。
【００６８】
尚、操作ボタン１２２に加えて又は代えて、ユーザが操作可能な任意の操作子が上面１２ａに配置されていてもよい。任意の操作子の一例として、例えば、タッチパネルや、タッチパッド等があげられる。
【００６９】
本実施例では更に、上面１２ａには、「第１出射部」及び「第１露出部」の一具体例である第１発光部１３１が配置されている。第１発光部１３１は、筐体１２の外部に露出している部材である。第１発光部１３１は、後述する光源１５１が発した光の一部を筐体１２の外部に向けて出射する部材である。第１発光部１３１は、後述する光源１５１が発した光の一部が筐体１２の外部に向けて出射される際に通過する部材である。第１発光部１３１は、後述する光源１５１が発した光の一部の照射を受けて実質的に発光しているかのように振舞う部材である。つまり、第１発光部１３１は、第１発光部１３１自身が能動的に発光することに代えて、光源１５１が発する光の一部を利用して実質的に発光しているかのように振舞う部材である。
【００７０】
本実施例では更に、側面１２ｂには、「第２出射部」及び「第２露出部」の一具体例である第２発光部１３２が配置されている。第２発光部１３２は、筐体１２の外部に露出している部材である。第２発光部１３２は、後述する光源１５１が発した光の一部を筐体１２の外部に向けて出射する部材である。第２発光部１３１は、後述する光源１５１が発した光の一部が筐体１２の外部に向けて出射される際に通過する部材である。第２発光部１３２は、後述する光源１５１が発した光の一部の照射を受けて発光する部材である。つまり、第２発光部１３２は、第２発光部１３２自身が能動的に発光することに代えて、光源１５１が発する光の一部を利用して実質的に発光しているかのように振舞う部材である。
【００７１】
第２発光部１３２の発光面積は、第１発光部１３１の発光面積よりも大きいことが好ましい。第２発光部１３２のサイズ（例えば、Ｙ軸に沿った方向のサイズ）は、第１発光部１３１のサイズ（例えば、Ｙ軸方向に沿ったサイズ）よりも大きいことが好ましい。但し、第２発光部１３２の発光面積は、第１発光部１３１の発光面積よりも大きくなくてもよい。第２発光部１３２のサイズは、第１発光部１３１のサイズよりも大きくなくてもよい。
【００７２】
第１発光部１３１及び第２発光部１３２の夫々は、筐体１２の内部に収容される光学部材１３の一部である。第１発光部１３１及び第２発光部１３２の夫々は、光学部材１３のうち筐体１２の外部に露出している部材部分である。
【００７３】
ここで、図２を参照しながら、光学部材１３の構成について、筐体１２内に収容される各種構成要素と共に説明する。図２は、光学部材１３の構成を、筐体１２内に収容されるホルダ１４及び回路基板１５と共に示す断面図（図１のＩ−Ｉ’断面図）である。
【００７４】
図２に示すように、筐体１２の内部には、光学部材１３に加えて、ホルダ１４と、回路基板１５とが収容されている。尚、図２においても、図１（ａ）から図１（ｃ）で用いた３次元座標空間を用いて、光学部材１３の構成についての説明を進める。
【００７５】
ホルダ１４は、光学部材１３を支持するための部材である。ホルダ１４は、光学部材１３が筐体１２の内部で固定されるように光学部材１３を押さえつける部材である。ホルダ１４は、例えば、ＡＢＳ樹脂（或いは、その他任意の樹脂又は任意の材料）から構成される部材である。本実施例では、ホルダ１４の外面（特に、光源１５１が発した光の光路と交わる外面）は、光源が発した光を第２発光部１３２に向けて反射する反射面１４１である。ホルダ１４の反射面１４１は、光学部材１３の外面の少なくとも一部（特に、伝搬部１３３の外面の少なくとも一部）に対向している又は密着していることが好ましい。
【００７６】
回路基板１５は、電話機１の動作に必要な各種処理回路等が搭載されている基板である。回路基板１５には、光源１５１と、光源１５１を駆動するための駆動ドライバ１５２とが搭載されている。
【００７７】
光源１５１は、駆動ドライバ１５２からの制御信号に基づいて、光を発する。光源１５１は、光を発することが可能な１つの発光体（例えば、ＬＤ（Ｌａｓｅｒ  Ｄｉｏｄｅ）や、ＬＥＤ（Ｌｉｇｈｔ  Ｅｍｉｔｔｉｎｇ  Ｄｉｏｄｅ）等）を含んでいてもよい。光源１５１は、夫々が光を発することが可能な複数の発光体を含んでいてもよい。光源１５１が複数の発光体を備えている場合であっても、各発光体は、同一の制御信号に基づいて光を発することが好ましい。
【００７８】
駆動ドライバ１５２は、電話機１の状態に基づいて、光源１５１を駆動するための（言い換えれば、所望の発光態様で光源１５１が光を発するように光源１５１を制御するための）制御信号を生成する。例えば、駆動ドライバ１５２は、電話機１に着信がある場合に光源１５１が光を発するように光源１５１を制御するための制御信号を生成してもよい。例えば、駆動ドライバ１５２は、電話機１に登録されている電話番号から電話機１に着信がある場合に光源１５１が光を発する一方で、電話機１に登録されていない電話番号から電話機１に着信がある場合に光源１５１が光を発しないように光源１５１を制御するための制御信号を生成してもよい。
【００７９】
光学部材１３は、光源１５１が発した光を第１発光部１３１及び第２発光部１３２に導く部材である。このため、光学部材１３は、その内部を光が伝搬することが可能な部材である。特に、光学部材１３は、その内部を光が伝搬する際に光を散乱させることが可能な部材であることが好ましい。このため、光学部材１３は半透明であることが好ましい。光学部材１３は、例えば、ＰＭＭＡ（ＰｏｌｙＭｅｔｈｙｌ  ＭｅｔｈＡｃｒｙｌａｔｅ）樹脂（或いは、その他任意の樹脂又は任意の材料）から構成される部材である。
【００８０】
光学部材１３は、光学部材１３の外観を構成する外面として、下面１３ａと、側面１３ｂと、上面１３ｃと、側面１３ｄと、上面１３ｅと、側面１３ｆと、側面１３ｇとを備える。
【００８１】
下面１３ａは、−Ｚ方向を向いている面である。下面１３ａは、回路基板１５に対向する面である。下面１３ａは、光源１５１に対向する面である。下面１３ａの少なくとも一部は、筐体１２の側面１２ｂを貫通する開口１２４を規定する筐体１２の側壁１２ｄに対向している。下面１３ａの少なくとも一部は、筐体１２の側壁１２ｄに支持されている。
【００８２】
側面１３ｂは、−Ｘ方向を向いている面である。側面１３ｂは、筐体１２の外部に露出する面である。側面１３ｂは、下面１３ａと交わる方向に向かって延びる面である。側面１３ｂは、下面１３ａの−Ｘ方向の端部から＋Ｚ方向に向かって延びる面である。側面１３ｂは、第２発光部１３２の少なくとも一部を構成する面である。
【００８３】
側面１３ｂの少なくとも一部は、筐体１２の外部に向かって凸状に（言い換えれば、弓なりに）突き出る曲面であることが好ましい。但し、側面１３ｂは、筐体１２の外部に向かって凸状に突き出る曲面を含んでいなくてもよい。側面１３ｂの少なくとも一部は、筐体１２の外部から見て凹状に窪んだ曲面であってもよい。側面１３ｂの少なくとも一部は、Ｚ軸に対して傾斜していてもよい。側面１３ｂは、Ｚ軸に対する傾斜角が異なる複数の面を含んでいてもよい。
【００８４】
側面１３ｂの少なくとも一部は、設置面２０（或いは、設置面２０に対向する筐体１２の底面１２ｃを包含する仮想的な平面、図２中の底面１２ｃから延びる点線参照、以下同じ）側を向いていることが好ましい。つまり、側面１３ｂの少なくとも一部は、その法線が設置面２０に交わるような方向を向いている。但し、側面１３ｂは、設置面２０側を向いていなくてもよい。
【００８５】
上面１３ｃは、＋Ｚ方向を向いている面である。上面１３ｃは、筐体１２の外部に露出する面を含んでいる。上面１３ｃは、側面１３ｂと交わる方向に向かって延びる面である。上面１３ｃは、側面１３ｂの＋Ｚ方向の端部から＋Ｘ方向に向かって延びる面である。上面１３ｃの少なくとも一部（特に、筐体１２の外部に露出する面）は、第２発光部１３２の少なくとも一部を構成する面である。上面１３ｃの少なくとも一部は、筐体１２の側面１２ｂを貫通する開口１２４を規定する筐体１２の側壁１２ｅに対向している。上面１３ｃの少なくとも一部は、筐体１２の側壁１２ｅに支持されている。
【００８６】
側面１３ｄは、−Ｘ方向を向いている面である。側面１３ｄの少なくとも一部（特に、上面１３ｅに近接する部分）は、筐体１２の外部に露出する面であってもよい。側面１３ｄの少なくとも一部が筐体１２の外部に露出している場合には、当該側面１３ｄの少なくとも一部は、第１発光部１３１の少なくとも一部を構成する面であってもよい。側面１３ｄは、上面１３ｃと交わる方向に向かって延びる面である。側面１３ｄは、上面１３ｃの＋Ｘ方向の端部から＋Ｚ方向に向かって延びる面である。側面１３ｄの少なくとも一部は、筐体１２の上面１２ａを貫通する開口１２３を規定する筐体１２の側壁１２ｆに対向している。側面１３ｄの少なくとも一部は、筐体１２の側壁１２ｆに支持されている。
【００８７】
上面１３ｅは、＋Ｚ方向を向いている面である。上面１３ｅは、筐体１２の外部に露出する面である。上面１３ｅは、側面１３ｄと交わる方向に向かって延びる面である。上面１３ｅは、側面１３ｄの＋Ｚ方向の端部から＋Ｘ方向に向かって延びる面である。上面１３ｅは、第１発光部１３１の少なくとも一部を構成する面である。
【００８８】
側面１３ｆは、＋Ｘ方向を向いている面である。側面１３ｆの少なくとも一部（特に、上面１３ｅに近接する部分）は、筐体１２の外部に露出する面であってもよい。側面１３ｆの少なくとも一部が筐体１２の外部に露出している場合には、当該側面１３ｆの少なくとも一部は、第１発光部１３１の少なくとも一部を構成する面であってもよい。側面１３ｆは、上面１３ｅと交わる方向に向かって延びる面である。側面１３ｆは、上面１３ｅの＋Ｘ方向の端部から−Ｚ方向に向かって延びる面である。側面１３ｆの少なくとも一部は、筐体１２の上面１２ａを貫通する開口１２３を規定する筐体１２の側壁１２ｇに対向している。側面１３ｆの少なくとも一部は、筐体１２の側壁１２ｇに支持されている。
【００８９】
側面１３ｇは、Ｘ軸及びＺ軸の双方に対して傾斜している面である。側面１３ｇは、ホルダ１４１に支持される面である。側面１３ｇの少なくとも一部は、ホルダ１４の反射面１４１に対向している。側面１３ｇの少なくとも一部は、光源１５１の鉛直上方に位置する。側面１３ｇの少なくとも一部は、光源１５１が発した光の光路に交わる。側面１３ｇは、側面１３ｆと交わる方向に向かって延びる面である。側面１３ｇは、側面１３ｆの−Ｚ方向の端部からＸ軸及びＺ軸の双方に対して傾斜する方向に向かって延びる面である。
【００９０】
このような外面から外観が規定される光学部材１３は、第１発光部１３１と、第２発光部１３２と、光伝搬部１３３と、光入射部１３４とを備える。
【００９１】
光源１５１が発した光は、光入射部１３４に入射する。光入射部１３４は、下面１３ａのうち光源１５１に対向する少なくとも一部の面（或いは、当該面を含む領域部分）である。
【００９２】
光入射部１３４に入射した光は、伝搬部１３３の内部を伝搬する。伝搬部１３３は、光入射部１３４と第１発光部１３１及び第２発光部１３２とを光学的につなぐ（言い換えれば、連結する）領域部分である。
【００９３】
光入射部１３４に入射した光の一部は、伝搬部１３３の内部を伝搬することで、第１発光部１３１（例えば、上面１３ｅ、側面１３ｄの少なくとも一部又は側面１３ｆの少なくとも一部）に到達する。その結果、第１発光部１３１は、第１発光部１３１に到達する光の照射を受けて発光する。
【００９４】
光入射部１３４に入射した光の一部は、伝搬部１３３の内部を伝搬することで、第２発光部１３２（例えば、側面１３ｂ又は上面１３ｃの少なくとも一部）に到達する。その結果、第２発光部１３２は、第２発光部１３２に到達する光の照射を受けて発光する。
【００９５】
第２発光部１３２は、光学部材１３が筐体１２の内部に収容されていないと仮定した場合であっても光源１５１が発した光が到達可能な位置に位置している。図２に示す例では、光学部材１３が筐体１２の内部に収容されていないと仮定した場合であっても、光源１５１が発した光は、ホルダ１４の反射面１４１に反射されるがゆえに、第２発光部１３２の位置に到達可能である。
【００９６】
一方で、第１発光部１３１は、光学部材１３が筐体１２の内部に収容されていないと仮定した場合であっても光源１５１が発した光が到達可能な位置とは異なる位置に位置している。言い換えれば、第１発光部１３１は、光学部材１３が筐体１２の内部に収容されていないと仮定した場合には光源１５１が発した光が到達不可能な位置に位置している。図２に示す例では、光学部材１３が筐体１２の内部に収容されていないと仮定した場合には、光源１５１が発した光は、ホルダ１４の反射面１４１に反射されるに過ぎないがゆえに、第１発光部１３１の位置に到達することができない。尚、後に詳述するように、実際には、光学部材１３が筐体１２の内部に収容されているがゆえに、光源１５１が発した光は、伝搬部１３３の内部で散乱することで第１発光部１３１に到達可能である。
【００９７】
尚、光学部材１３は、上述したように、その内部を光が伝搬する際に光を散乱させることが可能な部材であることが好ましい。従って、第２発光部１３２は、光学部材１３が光を散乱しないと仮定した場合であっても光源１５１が発した光が到達可能な位置に位置しているとも言える。同様に、第１発光部１３１は、光学部材１３が光を散乱しないと仮定した場合であっても光源１５１が発した光が到達可能な位置とは異なる位置に位置しているとも言える。つまり、第１発光部１３１は、光学部材１３が光を散乱しないと仮定した場合には光源１５１が発した光が到達不可能な位置に位置しているとも言える。
【００９８】
（２）第１発光部１３１及び第２発光部１３２の発光動作
続いて、図３及び図４（ａ）から図４（ｃ）を参照しながら、第１発光部１３１及び第２発光部１３２の発光動作について説明する。図３は、光学部材１３の内部における光の伝搬態様を示す断面図（図２と同様に、図１のＩ−Ｉ’断面図）である。図４（ａ）は、第１発光部１３１及び第２発光部１３２が発光している場合の電話機１の外観を示す上面図である。図４（ｂ）は、第１発光部１３１及び第２発光部１３２が発光している場合の電話機１の外観を示す側面図である。図４（ｃ）は、第１発光部１３１及び第２発光部１３２が発光している場合の電話機１の外観を示す側面図である。尚、図３及び図４（ａ）から図４（ｃ）においても、説明の便宜上、上述した３次元座標空間を用いて光の伝搬態様について説明する。
【００９９】
図３に示すように、光源１５１が発した光は、下面１３ａの少なくとも一部である光入射部１３４に入射する。光入射部１３４に入射した光は、伝搬部１３３の内部を伝搬する。
【０１００】
ここで、光入射部１３４に入射した光の少なくとも一部は、ホルダ１４の反射面１４１に向かって伝搬する。ホルダ１４の反射面１４１に向かって伝搬した光の少なくとも一部は、反射面１４１によって反射される。反射面１４１によって反射された光の少なくとも一部は、側面１３ｂを含む第２発光部１３２に向かって伝搬する。つまり、光入射部１３４に入射した光の少なくとも一部は、伝搬部１３３の内部で散乱されることなく、第２発光部１３２に到達する。尚、図３中の光学部材１３の内部の実線は、伝搬部１３３の内部で散乱されることなく第２発光部１３２に到達する光の光路を示している。つまり、光入射部１３４に入射した光の少なくとも一部は、伝搬部１３３の内部での散乱に起因した減衰の影響を大きく受けることなく、第２発光部１３２に到達する。言い換えれば、光入射部１３４に入射した光の少なくとも一部は、相対的に強い又は大きい光強度（例えば、光度エネルギーや、光束や、光度や、輝度や、照度や、光束発散度）を維持したまま、第２発光部１３２に到達する。
【０１０１】
一方で、光入射部１３４に入射した光の少なくとも一部は、伝搬部１３３の内部を伝搬する間に四方八方に散乱する。つまり、光入射部１３４に入射した光の少なくとも一部は、光入射部１３４から反射面１４１を介して第２発光部１３２に向かう理想的な光路（つまり、伝搬部１３３の内部で散乱されることなく第２発光部１３２に到達する光の光路）からずれた方向に向かって伝搬する。
【０１０２】
伝搬部１３３の内部を伝搬している間に散乱した光の少なくとも一部は、第１発光部１３１に到達する。尚、図３中の光学部材１３の内部の一点鎖線は、伝搬部１３３の内部で散乱された後に第１発光部１３１に到達する光の光路を示している。つまり、光入射部１３４に入射した光の少なくとも一部は、伝搬部１３３の内部での散乱に起因した減衰の影響を受けた上で、第１発光部１３１に到達する。言い換えれば、光入射部１３４に入射した光の少なくとも一部は、伝搬部１３３の内部で散乱されることなく第２発光部１３２に到達する光と比較して光強度が弱い又は小さい状態で、第１発光部１３１に到達する。
【０１０３】
同様に、伝搬部１３３の内部を伝搬している間に散乱した光の少なくとも一部は、第２発光部１３２に到達する。尚、図３中の光学部材１３の内部の点線は、伝搬部１３３の内部で散乱された後に第２発光部１３２に到達する光の光路を示している。つまり、光入射部１３４に入射した光の少なくとも一部は、伝搬部１３３の内部での散乱に起因した減衰の影響を受けた上で、第２発光部１３２に到達する。言い換えれば、光入射部１３４に入射した光の少なくとも一部は、伝搬部１３３の内部で散乱されることなく第２発光部１３２に到達する光と比較して光強度が弱い又は小さい状態で、第２発光部１３２に到達する。
【０１０４】
つまり、光学部材１３は、実質的には、光源１５１が発した光（つまり、光入射部１３４に入射した光）を、第１発光部１３１に到達する光と第２発光部１３２に到達する光とに分離していると言える。尚、光源１５１が発した光（つまり、光入射部１３４に入射した光）の全てが第１発光部１３１に到達する光と第２発光部１３２に到達する光とに分離されなくてもよい。言い換えれば、光源１５１が発した光（つまり、光入射部１３４に入射した光）の少なくとも一部が第１発光部１３１に到達する光と第２発光部１３２に到達する光とに分離されれば足りる。
【０１０５】
第１発光部１３１に到達した光は、第１発光部１３１を介して筐体１２の外部に向かって伝搬していく（図３及び図４（ａ）から図４（ｃ）の矢印参照）。つまり、第１発光部１３１に到達した光は、第１発光部１３１から筐体１２の外部に向かって伝搬していく。つまり、第１発光部１３１は、第１発光部１３１に到達する光の照射を受けて発光する。言い換えれば、第１発光部１３１は、第１発光部１３１に到達する光の照射を受けて実質的に発光しているかのように振舞う。
【０１０６】
同様に、第２発光部１３２に到達した光は、第２発光部１３２を介して筐体１２の外部に向かって伝搬していく（図３及び図４（ａ）から図４（ｃ）の矢印参照）。つまり、第２発光部１３２に到達した光は、第２発光部１３２から筐体１２の外部に向かって伝搬していく。つまり、第２発光部１３２は、第２発光部１３２に到達する光の照射を受けて発光する。言い換えれば、第２発光部１３２は、第２発光部１３２に到達する光の照射を受けて実質的に発光しているかのように振舞う。
【０１０７】
以上説明したように、本実施例の電話機１によれば、第１発光部１３１及び第２発光部１３２は、電話機１の状態に基づいて光源１５１が発する光の少なくとも一部の照射を受けて発光する。従って、ユーザは、第１発光部１３１及び第２発光部１３２の少なくとも一方の発光を視認することで、電話機１の状態を比較的容易に認識することができる。
【０１０８】
更に、本実施例では、上述したように、第１発光部１３１及び第２発光部１３２は、共に同一の光源１５１が発した光の照射を受けて発光する。このため、第１発光部１３１の発光態様は、第２発光部１３２の発光態様と同一になる。従って、第１発光部１３１及び第２発光部１３２が異なる発光態様で発光することは殆ど又は全くない。このため、ユーザは、第１発光部１３１及び第２発光部１３２の少なくとも一方の発光を視認することで、電話機１の状態を比較的容易に認識することができる。
【０１０９】
更に、本実施例では、上述したように、第１発光部１３１には、伝搬部１３３で散乱されるがゆえに相対的に光強度が弱い又は小さい光が到達する。従って、第１発光部１３１は、相対的に弱い又は小さい光強度で発光する。従って、第１発光部１３１の発光に起因した操作ボタン１２２の視認性の悪化が好適に抑制される。例えば、第１発光部１３１の発光による光が操作ボタン１２２で乱反射することで発生する操作ボタン１２２の視認性の悪化が好適に抑制される。
【０１１０】
尚、操作ボタン１２２の視認性を向上させるために、操作ボタン１２２を下方側から
（つまり、筐体１２の内部から）照らし出す照明動作が行われることがある。この場合には、操作ボタン１２２の視認性の悪化を抑制するために、第１発光部１３１の発光は、操作ボタン１２２の照明よりも暗いことが好ましい。例えば、第１発光部１３１の光強度は、操作ボタンの１２２の照明の光強度よりも弱い又は小さいことが好ましい。
【０１１１】
更に、本実施例では、第２発光部１３１には、伝搬部１３３で散乱されるがゆえに相対的に光強度が弱い又は小さい光に加えて、伝搬部１３３で散乱されないがゆえに相対的に光強度が強い又は大きい光が到達する。従って、第２発光部１３２は、相対的に強い又は大きい光強度で発光する。言い換えれば、第２発光部１３２は、第１発光部１３１と比較して、相対的に強い又は大きい光強度で発光する。このため、操作ボタン１２２の視認性の悪化を抑制する目的で相対的に弱い又は小さい光強度で第１発光部１３１が発光している場合であっても、第２発光部１３２は、相対的に強い又は大きい光強度で発光することができる。従って、操作ボタン１２２の視認性の悪化を抑制する目的で相対的に弱い又は小さい光強度で第１発光部１３１が発光している場合であっても、ユーザは、相対的に強い又は大きい光強度で発光している第２発光部１３２を視認することで、電話機１の状態を好適に認識することができる。更には、第２発光部１３２が上面１２ａではなく側面１２ｂ（つまり、操作ボタン１２２が配置されていない面）に配置されているがゆえに、第２発光部１３２の発光が操作ボタン１２２の視認性の悪化を引き起こすことは殆ど又は全くない。このため、本実施例の電話機１は、操作ボタン１２２の視認性の悪化を抑制しつつ、電話機１の状態をユーザに好適に認識させることができる。言い換えれば、本実施例の電話機１は、操作ボタンの視認性の悪化を抑制しつつ、電話機１の状態をユーザに対して光で通知することができる。
【０１１２】
更に、本実施例では、第２発光部１３２のサイズが相対的に大きい一方で、第１発光部１３１のサイズが相対的に小さい。従って、第１発光部１３１は、サイズが相対的に小さいがゆえに、相対的に弱い又は小さい光強度で発光する。その結果、第１発光部１３１は、第１発光部１３１の発光が操作ボタン１２２の視認性の悪化を抑制するように発光することができる。その一方で、第２発光部１３２は、サイズが相対的に大きいがゆえに、相対的に強い又は大きい光強度で発光する。従って、第２発光部１３２は、第２発光部１３２の発光がユーザに認識しやすくなるように発光することができる。このため、操作ボタン１２２の視認性の悪化を抑制するように相対的に弱い又は小さい光強度で第１発光部１３１が発光しつつ、ユーザは、相対的に強い又は大きい光強度で発光している第２発光部１３２を視認することで、電話機１の状態を好適に認識することができる。従って、本実施例の電話機１は、操作ボタンの視認性の悪化を抑制しつつ、電話機１の状態をユーザに対して光で通知することができる。
【０１１３】
更に、本実施例では、第２発光部１３２の少なくとも一部を構成する側面１３ｂの少なくとも一部が凸状に突き出ている。このため、図４（ａ）から図４（ｃ）に示すように、側面１３ｂの少なくとも一部から出射する光は、筐体１２の外部に向かって拡散するように伝搬していく。このため、第２発光部１３２は、筐体１２の外部に向かって拡散しないように側面１３ｂから光が出射する場合と比較して、光がより広範囲に伝搬するように光を出射することができる。その結果、第２発光部１３２の発光の視認性が向上する。つまり、ユーザは、第２発光部１３２の発光を視認しやすくなり、結果、電話機１の状態を認識しやすくなる。
【０１１４】
尚、側面１３ｂの少なくとも一部が凹状に窪んでいる場合においても、側面１３ｂの少なくとも一部から出射する光は、筐体１２の外部に向かって拡散するように伝搬していく。つまり、側面１３ｂの少なくとも一部がＺ軸に対して傾斜している又は側面１３ｂがＺ軸に対する傾斜角が異なる複数の面を含んでいる場合においても、側面１３ｂの少なくとも一部から出射する光は、筐体１２の外部に向かって拡散するように伝搬していく。その結果、ユーザは、第２発光部１３２の発光を視認しやすくなり、結果、電話機１の状態を認識しやすくなる。
【０１１５】
更に、本実施例では、第２発光部１３２の少なくとも一部を構成する側面１３ｂの少なくとも一部が設置面２０側を向いている。このため、図４（ｂ）から図４（ｃ）に示すように、側面１３ｂの少なくとも一部から出射する光は、設置面２０に向かって伝搬する。この場合、側面１３ｂの少なくとも一部から出射した光の少なくとも一部は、設置面２００において反射する。その結果、光の伝搬方向が変化するがゆえに、側面１３ｂの少なくとも一部（言い換えれば、第２発光部１３２）から出射した光は、より広範囲に伝搬することができる。その結果、第２発光部１３２の発光の視認性が向上する。つまり、ユーザは、第２発光部１３２の発光を視認しやすくなり、結果、電話機１の状態を認識しやすくなる。
【０１１６】
尚、図１から図４を参照して説明した電話機１の構成及び発光動作は、あくまで一例である。従って、図１から図４を参照して説明した電話機１の構成及び発光動作の少なくとも一部が適宜改変されてもよい。電話機１の構成及び発光動作の少なくとも一部の改変例の一部について説明する。
【０１１７】
操作ボタン１２２は、筐体１２の外面を構成する面のうち上面１２ａとは異なる面に配置されていてもよい。この場合、第１発光部１３１は、操作ボタン１２２が配置される面に配置されることが好ましい。一方で、第２発光部１３２は、筐体１２の外面を構成する面のうち操作ボタン１２２が配置されていない面に配置されることが好ましい。
【０１１８】
上述した説明では、主として操作ボタン１２２の視認性について言及している。しかしながら、ディスプレイ１２１もまた第１発光部１３１と同様に上面１２ａに配置されていることを考慮すれば、ディスプレイ１２１の視認性が第１発光部１３１の発光に起因して悪化する可能性もある。従って、操作ボタン１２２の視認性に加えて又は代えて、ディスプレイ１２１の視認性を考慮して第１発光部１３１及び第２発光部１３２が配置されていてもよい。例えば、操作ボタン１２１の配置位置に関わらず、筐体１２の外面を構成する面のうちディスプレイ１２１が配置されている面に第１発光部１３１が配置されると共に、筐体１２の外面を構成する面のうちディスプレイ１２１が配置されていない面に第２発光部１３２が配置されてもよい。その結果、電話機１は、ディスプレイ１２１の視認性の悪化を抑制しつつ、電話機１の状態をユーザに対して光で通知することができる。
【０１１９】
或いは、電話機１を構成する各種部品のうちディスプレイ１２１及び操作ボタン１２２とは異なる他の部品の視認性を確保したい場合も想定される。この場合には、ディスプレイ１２１及び操作ボタン１２２の少なくとも一方の視認性に加えて又は代えて、視認性を確保したい他の部品の視認性を考慮して第１発光部１３１及び第２発光部１３２が配置されていてもよい。例えば、操作ボタン１２１の配置位置に関わらず、筐体１２の外面を構成する面のうち視認性を確保したい他の部品が配置されている面に第１発光部１３１が配置されると共に、筐体１２の外面を構成する面のうち視認性を確保したい他の部品が配置されていない面に第２発光部１３２が配置されてもよい。その結果、電話機１は、視認性を確保したい他の部品の視認性の悪化を抑制しつつ、電話機１の状態をユーザに対して光で通知することができる。
【０１２０】
第２発光部１３２は、筐体１２の外面を構成する面のうち側面１２ｂとは異なる面に配置されていてもよい。但し、この場合であっても、第２発光部１３２は、筐体１２の外面を構成する面のうち操作ボタン１２２が配置されていない面に配置される。
【０１２１】
筐体１２の外面を構成する面には、第１発光部１３１及び第２発光部１３２の少なくとも一方に加えて又は代えて、一又は複数の第３発光部が配置されていてもよい。第３発光部は、第１発光部１３１が配置されている面に配置されていてもよい。第３発光部は、第２発光部１３２が配置されている面に配置されていてもよい。第３発光部は、第１発光部１３１及び第２発光部１３２が配置されていない面に配置されていてもよい。第３発光部は、第１発光部１３１及び第２発光部１３２と同様に、光源１５１が発した光の一部の照射を受けて発光する部材である。従って、第３発光部の特徴は、第１発光部１３１及び第２発光部１３２の特徴と同一であってもよい。
【０１２２】
図２を用いて説明した光学部材１３の形状は一例である。従って、光学部材１３の形状は、図２に示す形状とは異なる任意の形状であってもよい。つまり、光学部材１３の形状は、光源１５１が発した光を第１発光部１３１及び第２発光部１３２に導くことができる限りは、どのような形状であってもよい。
【０１２３】
第２発光部１３２は、光学部材１３が筐体１２の内部に収容されていないと仮定した場合であっても光源１５１が発した光が到達可能な位置とは異なる位置に位置していてもよい。第１発光部１３１は、光学部材１３が筐体１２の内部に収容されていないと仮定した場合であっても光源１５１が発した光が到達可能な位置に位置していてもよい。
【０１２４】
筐体１２の内部には、複数の光学部材１３が収容されていてもよい。例えば、光源１５１が発した光の少なくとも一部を第１発光部１３１に導く光学部材と、光源１５１が発した光の少なくとも一部を第２発光部１３２に導く光学部材とが、筐体１２の内部に別個に収容されていてもよい。
【０１２５】
電話機１は、光学部材１３を備えていなくてもよい。この場合、電話機１は、光源１５１の光を２箇所に導くことが可能な他の部材を備えていてもよい。例えば、電話機１は、筐体１２の内部に、光源１５１が発した光を筐体１２が備える２つの開口１２３及び１２４の夫々に導く任意の光学系を備えていてもよい。
【０１２６】
第１発光部１３１の発光の光強度（つまり、明るさ）及び第２発光部１３２の発光の光強度のうちの少なくとも一方は、光学部材１３の内部での散乱という現象等を用いることに加えて又は代えて、その他の方法を用いて調整されてもよい。例えば、光入射部１３４から第１発光部１３１に至るまでの光路上に配置される減衰フィルタ等の光学素子を用いて、第１発光部１３１の発光の光強度が調整されてもよい。例えば、光入射部１３４から第２発光部１３２に至るまでの光路上に配置される減衰フィルタ等の光学素子を用いて、第２発光部１３２の発光の光強度が調整されてもよい。この場合、光学部材１３は、必ずしもその内部で光が散乱する部材でなくてもよい。光学部材は、半透明の部材でなくてもよい（例えば、透明な部材であってもよい）。
【０１２７】
ホルダ１４１の外面の一部は、反射面１４１でなくてもよい。光学部材１３は、ホルダ１４によって支持されていなくてもよい。つまり、筐体１４の内部には、ホルダ１４が収容されていなくてもよい。
【０１２８】
また、本発明は、請求の範囲及び明細書全体から読み取るこのできる発明の要旨又は思想に反しない範囲で適宜変更可能であり、そのような変更を伴う電話機及び操作子付属機器もまた本発明の技術思想に含まれる。
【符号の説明】
【０１２９】
１  電話機
１２  筐体
１２ａ  上面
１２ｂ  側面
１２ｃ  底面
１２２  操作ボタン
１３  光学部材
１３ｂ  側面
１３ｅ  上面
１３１  第１発光部
１３２  第２発光部
１３３  伝搬部
１３４  光入射部
１５１  光源
【図１】
0006439308.tif 000002
【図２】
0006439308.tif 000003
【図３】
0006439308.tif 000004
【図４】
0006439308.tif 000005